(57)【要約】【課題】  通信のための必要機能部を内蔵した装置本体の全体を腕等に巻き付けるように構成して、コストの低減と、保持力の強化と、使いやすさの向上とを図れるようにすること。【解決手段】  携帯可能な携帯通信装置１１であって、通信のために必要な必要機能部を内蔵した装置本体１２を、その長さ方向に連結される複数の担体部材１４，１５，１６，１７で形成するとともに、これら担体部材間には、装置本体１２を伸ばした状態から環状に丸めた状態まで、担体部材同士を屈曲可能に連結する関節部１８，１９，２０を設け、上記装置本体１２の両端部には、これら両端部同士を連結して上記環状に丸めた状態を保持する連結手段１３を設けた携帯通信装置１１。【選択図】    図１
2006086564.tif 000002
【特許請求の範囲】
【請求項１】
携帯可能な携帯通信装置であって、
通信のために必要な必要機能部を内蔵した装置本体を、その長さ方向に連結される複数の担体部材で形成するとともに、
これら担体部材間には、装置本体を伸ばした状態から環状に丸めた状態まで、担体部材同士を屈曲可能に連結する関節部を設け、
上記装置本体の両端部には、これら両端部同士を連結して上記環状に丸めた状態を保持する連結手段を設けた
携帯通信装置。
【請求項２】
前記装置本体に、該装置本体を伸ばした状態にすべく付勢する付勢手段を設けた
請求項１に記載の携帯通信装置。
【請求項３】
前記装置本体の内側面に、環状に丸めていない状態の装置本体を人体に保持する保持手段を設けた
請求項１又は２に記載の携帯通信装置。
【発明の詳細な説明】
【技術分野】
【０００１】
この発明は、例えば携帯電話機などのような携帯通信装置に関し、より詳しくは、人体の腕等に装着可能な携帯通信装置に関する。
【背景技術】
【０００２】
携帯電話機においては、小型化や軽量化、高機能化が進み、ますます便利になってきており、常に携帯している人が多い。
【０００３】
しかし、その携帯方法の多くは、衣服のポケットに入れるか、ハンドバッグやセカンドバッグ等に収納するかであって、落としたり置き忘れたりして紛失してしまうことが多々あった。
【０００４】
また、携帯電話機で着信を知らせるには音によるモードと振動によるモードがあるが、着信を音で知らせるモードにすると周囲に迷惑であるため好ましくない。しかし、着信を振動で知らせるモードにしておいたのでは、携帯電話機をハンドバッグ等に入れて携帯する場合に着信がわかりにくいので、音で知らせるモードに設定されている事が多く、周囲に対する迷惑は改善されない。
【０００５】
このような情況のもと、より紛失しにくく、また振動による着信がわかりやすくするとともに、女性でも身に付けて携帯できるようにするために、腕時計型の携帯電話機が提案されるようになった。
【０００６】
提案されている腕時計型携帯電話機の多くは、無線通信に必要な主要な機能部を内蔵した本体部と、該本体部の両側に設けられた側バンドとで、腕時計と同様の形状に構成されている。上記２つの側バンドには、マイク又はスピーカが備えられており、通常の電話と同じように本体部を手に持って、マイクを口に、スピーカを耳に近づけて使用される。
【０００７】
このタイプの腕時計型携帯電話機では、着信があった時に腕から即座に外して送受信可能な状態にできるようにすべく構成されている。すなわち、側バンドを硬質の材料で形成するとともに、本体部と側バンドとの間にラチェット機構などを備えて構成し、全体が側面視Ｃ字状になって腕を掴むような状態で取り付けられるものである（例えば、下記特許文献１参照）。
【０００８】
しかし、このような構成の腕時計型携帯電話機では、腕の甲側に位置する本体部を小さく形成しなければならず、コストが高くつき、未だ一般的にはなっていない。
【０００９】
また、側バンドを上述のように構成した場合、腕に巻き付けるのではなく、主に側バンドの両端部と本体部の内側面の３箇所を腕に対して押し付けて保持しているので、保持力は決して高くなく、不測に脱落してしまうおそれがある。
【００１０】
なお、本体部に必要な機能部のすべてを内蔵した構成のもの（特許文献２）はあるが、これも上述のように腕に対して３箇所を押し付けて保持するものであって、不測に脱落してしまうおそれがある。
【特許文献１】特開２００１−３４５９０７号公報
【特許文献２】特開２００３−３３３１５２号公報
【発明の開示】
【発明が解決しようとする課題】
【００１１】
そこで、この発明は、通信のための必要機能部を内蔵した装置本体の全体を腕等に巻き付けるように構成して、コストの低減と、保持力の強化と、使いやすさの向上とを図れるようにすることを主たる課題とする。
【課題を解決するための手段】
【００１２】
そのための手段は、携帯可能な携帯通信装置であって、通信のために必要な必要機能部を内蔵した装置本体を、その長さ方向に連結される複数の担体部材で形成するとともに、これら担体部材間には、装置本体を伸ばした状態から環状に丸めた状態まで、担体部材同士を屈曲可能に連結する関節部を設け、上記装置本体の両端部には、これら両端部同士を連結して上記環状に丸めた状態を保持する連結手段を設けた携帯通信装置であることを特徴とする。
【００１３】
すなわち、携帯通信装置の使用に当たっては、装置本体をその関節部において屈曲し、手首部等に巻き付けて環状に丸め、連結手段を用いてその状態を保持して装着する。そして、通信のために使用する時には、装置本体を手首部等から外して伸ばした状態にしてから普通の電話機のように手で保持して、あるいは装着した状態のまま、使用する。
【００１４】
手首部に装着するためには、上記担体部材を４個設けて構成し、側面視四角形に丸めた環状に形成するのが好ましい。
【００１５】
なお、連結手段による両端部同士の連結とは、閉ループ状に連結されることをいい、必ずしも両端部同士が直接連結されていることのみを意味するものではない。
【００１６】
上記装置本体には、該装置本体を伸ばした状態にすべく付勢する付勢手段を設けるとよい。伸ばした状態で通信する動作が、簡易迅速に行える。付勢手段は、例えばコイルばねや板ばね等で適宜構成できる。
【００１７】
上記装置本体の内側面には、環状に丸めていない状態の装置本体を人体に保持する保持手段を設けるもよい。連結手段が不測に外れた場合のほか、手首部に対する着脱動作時においても、装置本体の脱落を阻止することができる。
【発明の効果】
【００１８】
以上のように、この発明によれば、側バンドを設けずに、必要機器を内蔵した装置本体を手首部等に巻き付けて装着する。
【００１９】
このため、装置本体の全体を手首部等に巻き付けるので、手首部等に確実に保持でき、不測の脱落、紛失等を防止できる。
【００２０】
また、手首部等に巻き付けて携帯するので、女性でも体裁よく携帯できるとともに、身に付けて携帯することになるので、着信を振動で知らせるモードにしても確実に着信を知覚することができ、周囲に対する迷惑をなくすことができる。
【００２１】
さらに、装置本体全体を手首部等に巻いて携帯する構成であるので、装置本体を大きく形成することができる。このため、装置本体は、高価な小型で製品を使用せずとも構成でき、コストの低減が可能であるとともに、通信装置に必要な表示画面や操作ボタン等を大きく形成し、押しやすく配置できるので、操作が容易で、画面も見やすい。また、マイクロホンとスピーカの距離を離すこともできて、ハウリング現象の防止が可能で、快適な使用環境も得られる。
【発明を実施するための最良の形態】
【００２２】
この発明を実施するための一形態を、以下図面を用いて説明する。  
図１は、携帯通信装置の一例としての携帯電話機１１の正面図であり、この携帯電話機１１は、図２に示したように人体の手首部Ｘに巻き付けて携帯するものである。
【００２３】
この携帯電話機１１は、通信のために必要な必要機能部を内蔵した装置本体１２と、該装置本体１２を、その両端部同士を連結して環状に丸めた状態に保持する連結手段１３とで構成している。
【００２４】
装置本体１２は、その長さ方向に連結される４個の担体部材１４，１５，１６，１７で形成するとともに、これら担体部材１４，１５，１６，１７間に、担体部材同士を屈曲可能に連結する関節部１８，１９，２０を設けている。
【００２５】
各担体部材１４，１５，１６，１７は、上から順に、第１担体部材１４、第２担体部材１５、第３担体部材１６及び第４担体部材１７であり、それぞれ必要な必要機能部として次のものを内蔵している。
【００２６】
第１担体部材１４はスピーカ部２１を内蔵し、第２担体部材１５は表示部２２、第３担体部材１６は、オンオフスイッチや、リダイヤルなどの機能スイッチ等の操作スイッチ２３を設けている。また、第４担体部材１７は、テンキー２４を設けるとともに、下端部にマイクロホン部２５を設けている。
【００２７】
このほか、各担体部材１４，１５，１６，１７には、図示しないが、送受信部、バッテリからなる電源部、バイブレータ用のモータ、適宜回路等を内蔵している。
【００２８】
なお、各担体部材１４，１５，１６，１７は、人体の手首部Ｘになじみやすいように、裏面側を若干湾曲させて形成する。
【００２９】
また、各担体部材１４，１５，１６，１７は、それぞれ長さを異ならせており、第２担体部材１５と第４担体部材１７を、第１担体部材１４及び第３担体部材１６よりも長く設定し、手首部Ｘに巻き付けたときに、第２担体部材１５が手首部Ｘの甲側（外側）に位置し、第４担体部材１７が手首部Ｘの内側に位置するように設定している。
【００３０】
また、上記関節部１８，１９，２０は、図３に示したように装置本体１２を伸ばした状態から、図４に示したように環状に丸めた状態まで変形できるように、その屈曲範囲を設定しており、特に上記伸ばした状態では、装置本体１２が表面側に若干反るように設定して、手で持った時に使用しやすい形にしている。
【００３１】
上記連結手段１３は、腕時計で一般的に用いられる周知のバックルを利用すればよく、この例では、三つ折れプッシュ式バックルを採用した。すなわち、第１担体部材１４に、枢着された本体金具３１と、該本体金具３１の他端と上記第４担体部材１７との間に掛け渡される二つ折れの張架部材３２とで構成される。
【００３２】
上記本体金具３１は、左右両側面から突出するように付勢されたプッシュボタン３３を設けるとともに、内側面には、上記プッシュボタン３３の押圧動作により一部が開閉する穴部（図示せず）を設けている。また、第１担体部材１４側に、長さ調節のための長さ調節ブロック３４を備えている。
【００３３】
上記張架部材３２は、金属若しくは合成樹脂からなる可撓性を有する帯状の板材で構成し、突っ張ることによって装置本体１２が伸びた状態になるように付勢する付勢力を有するものである。
【００３４】
張架部材３２の中間位置には、１８０度開閉するヒンジ部３５を設け、一端３６は、上記本体金具３１に枢着し、他端３７は、第４担体部材１７に枢着している。そして、他端３７の近傍には、本体金具３１の上記穴部に対し、付勢力に抗して進入し、プッシュボタン３３で抜け止めされる、茸形の頭部を有した突起部３８を形成している。
【００３５】
また、張架部材３２のヒンジ部３５を挟む両側部位には、図５に示したように方形状の切欠部３９を形成している。該切欠部３９は、第２担体部材１５の裏面に突出形成された直方体状の突出部４０に挿嵌する部位で、図４に示したように環状に丸めた時に、装置本体１２と張架部材３２の位置ずれを防止するためのものである。
【００３６】
また、好ましくは、この突出部４０を、受信部から上記スピーカ部２１ヘ電気的に接続するのと同様の、人体に対する接点として構成し、スピーカ部２１への電流と、該突出部４０への電流とをスイッチ（図示せず）で切換可能に構成するとよい。
【００３７】
すなわち、送受信時に、携帯電話機１１を巻き付けた手の指先を耳の穴に挿入すると、受信部で受信した相手側の音声は上記突出部４０から、手首部を介して、掌や指先に伝わり、これらをスピーカとして使用することができる。
【００３８】
図示しないが、スピーカを備えた部材を指に嵌められるように構成し、これをケーブルで装置本体に引き出し可能に連結して構成するもよい。
【００３９】
いずれにしても、装置本体１２を四分割してそのうちの第４担体部材１７にマイクロホン部２５を設けたので、このマイクロホン部２５は手首部Ｘの内側に位置することになる。このため、上述のように指を利用することによって、携帯電話機を手首部に巻き付けた状態のまま、自然な形で通話が可能となる。
【００４０】
このように構成した携帯電話機１１を手首部Ｘに巻き付けるには、まず、図３に示した、伸びた状態の携帯電話機１１に対して手首部Ｘを差し込むと、図６に示したように装置本体１２と張架部材３２とで手首部Ｘが挟まれた状態になる。このときに、張架部材３２は突っ張って、装置本体１２を伸ばす方向に付勢力を有するので、手首部Ｘは積極的に挟まれ、携帯電話機１１は手首部Ｘから容易には外れない。
【００４１】
この状態から、張架部材３２の張力に抗して、ヒンジ部３５を手首部Ｘの外側（図面右側）に移動しながら屈曲し、ヒンジ部３５を、突出部４０を越えた位置に移動するとともに、切欠部３９を突出部４０に挿嵌し、張架部材３２の他端３７側に設けた突起部３８を本体金具３１の穴部に嵌めると、図４に示したように環状に丸まった状態となって、図２に示す如く手首部Ｘに固定できる。
【００４２】
そして、着信があったときには、連結手段１３のプッシュボタン３３を押して、突起部材３８の係合状態を解除し、装置本体１２の両端部同士の連結を外して手首部Ｘを抜けば、図６に示したような張架部材３２と装置本体１２とが手首部Ｘを挟んだ状態を経て、図３の如くに、装置本体１２が伸びた状態となる。この状態は、張架部材３２で保持されるので、片手で、普通の電話機と同様に使用できる。
【００４３】
また、上述のように突出部４０を電気的な接点として構成した場合やケーブルを介してスピーカを別途に設けた場合には、携帯電話機１１を手首部Ｘから外さなくとも、手首部Ｘに巻き付けた状態のまま通話ができる。
【００４４】
上述のようにして使用できるので、着信は、手首部Ｘに巻き付けている限り振動で知覚することができる。つまり、音を発生させないで済むので、周囲に迷惑を掛けることなく使用できる。
【００４５】
また、手首部Ｘに巻き付けて携帯できるので、女性でも手軽に携帯できるとともに、置き忘れたり落としたりすることも抑制できる。
【００４６】
さらに、装置本体１２が手首部Ｘに閉ループ状になって巻き付くので、不測に脱落することのない確実な装着ができる。この点からも、紛失の心配をなくすことが可能となる。
【００４７】
また、側バンドを設けずに、必要機器を内蔵した装置本体１２を手首部Ｘに巻き付けて装着するので、装置本体１２を比較的大きく形成することができる。この結果、最新の精密な小型機器を用いずとも装置本体１２は構成でき、コストの低減が可能であるとともに、通信装置に必要な表示部２２や操作スイッチ２３、テンキー２４等を大きく形成し、押しやすく配置できるので、操作が容易で、画面も見やすい。また、マイクロホン部２５とスピーカ部２１の距離を離すこともできて、ハウリング現象の防止が可能で、快適な使用環境も得られる。
【００４８】
さらに、装置本体１２を環状に巻いた状態に保持する連結手段１３の張架部材３２が、装置本体１２を伸ばす付勢手段であり、また環状に丸めていない状態の装置本体１２を人体の手首部Ｘに保持する保持手段でもある。このため、伸ばした状態で通信する動作が、簡易迅速に行えるとともに、連結手段１３が不測に外れた場合のほか、手首部Ｘに対する着脱動作時においても、装置本体１２の脱落を阻止することができる。
【００４９】
しかも、張架部材３２が付勢手段と保持手段を兼用するので、例えば関節部１８，１９，２０に付勢手段を備える必要はなく、構成を簡素にできるとともに、別途に保持手段を設ける必要がないので、部品点数を低減することもできる。
【００５０】
この発明の構成と、上記一形態の構成との対応において、  
この発明の携帯通信装置は、上記携帯電話機１１に対応し、  
付勢手段と保持手段は、連結手段１３の張架部材３２に対応するも、  
この発明は、上記一形態の構成のみに限定されるものではなく、様々な形態を採用し得る。
【００５１】
例えば、携帯通信装置は、携帯電話機以外の他の携帯通信装置であるもよく、また、付勢手段や保持手段は設けずともよい。
【００５２】
さらに、携帯通信装置を、手首部以外の他の部位、例えば二の腕部分などに装着できるようにするもよく、装置本体１２を構成する担体部材の数は、装着する部位に応じて適宜設定すればよい。
【００５３】
また、携帯通信装置は、上述のように誰でも手軽に身に付けて携帯できるものであるので、健康状態を知るための生体検査部や、万が一の非常時のための警報手段を備えるとともに、装置本体に必要な制御回路を備えるとよい。多機能化を図れ、通信以外にも利用できる装置となる。
【００５４】
例えば、生体検査としては、体温や血圧、脈拍などを検査することができ、この場合には、装置本体１２が上記一形態の場合と同一形状の場合には、例えば図７に示したように、第３担体部材１６と第４担体部材１７との間に、温度センサや圧力センサからなる検査器４１を備えた可撓性を有するベルト状体４２を掛け渡して構成するとよい。装置本体１２を環状に丸めた時に、ベルト状体４２が人体側に突出するので、検査器４１を人体に密着させることができ、正確な検査が可能となる。
【図面の簡単な説明】
【００５５】
【図１】携帯電話機の正面図。
【図２】手首に装着した状態の正面図。
【図３】伸ばした状態の携帯電話機の側面図。
【図４】環状に丸めた状態の携帯電話機の側面図。
【図５】第２担体部材の裏面側の部分斜視図。
【図６】作用状態の側面図。
【図７】他の例に係る携帯電話機の側面図。
【符号の説明】
【００５６】
１１…携帯電話機
１２…装置本体
１３…連結部材
１４…第１担体部材
１５…第２担体部材
１６…第３担体部材
１７…第４担体部材
１８，１９，２０…関節部
２１…スピーカ部
２２…表示部
２３…操作スイッチ
２４…テンキー
２５…マイクロホン部
３２…張架部材
Ｘ…手首部
【図１】
2006086564.tif 000003
【図２】
2006086564.tif 000004
【図３】
2006086564.tif 000005
【図４】
2006086564.tif 000006
【図５】
2006086564.tif 000007
【図６】
2006086564.tif 000008
【図７】
2006086564.tif 000009